(57)【特許請求の範囲】
【請求項１】
移動交換センターと、移動ステーションの位置を指示する位置情報を含む加入者レジスタとを備えた移動通信システムにおいて不正移動ステーションを検出するための方法であって、
上記加入者レジスタにおける位置情報の変化を引き起こすプロセスを監視し、そして
移動発信コール、移動発信ショートメッセージ、移動発信非構造化補足サービスデータ、移動発信補足サービス又は周期的位置更新によって位置情報の変化が引き起こされた場合に、不正移動ステーションの存在を指示する、
という段階を備えたことを特徴とする方法。
【請求項２】
上記加入者レジスタは、上記移動交換センターのカバレージエリア内に現在位置する移動ステーションに関するデータを含むレジスタである請求項１に記載の方法。
【請求項３】
不正移動ステーションの存在は、上記加入者レジスタから上記移動通信システムのネットワークマネージメントシステムへメッセージを送信することにより指示される請求項１又は２に記載の方法。
【請求項４】
移動ステーション(MS,MS')と、移動交換センター(MSC1)と、移動ステーションの位置を指示する位置情報を含む加入者データを含んだ加入者レジスタ(VLR1)とを備えた移動通信システムにおいて、
上記加入者レジスタ(VLR1)における位置情報の変化を引き起こすプロセスを監視するための監視手段(1)と、
移動発信コール、移動発信ショートメッセージ、移動発信非構造化補足サービスデータ、移動発信補足サービス又は周期的位置更新によって位置情報の変化が引き起こされた場合に不正移動ステーション(MS')の存在を検出して指示するための検出手段(2)と、
を備えたことを特徴とする移動通信システム。
【請求項５】
上記検出手段は、上記加入者レジスタ(VLR1)に配置される請求項４に記載の移動通信システム。
【請求項６】
上記加入者レジスタ(VLR1)は、上記移動交換センター(MSC1)のカバレージエリア内に現在位置する移動ステーションに関するデータを含むレジスタである請求項４又は５に記載の移動通信システム。
【請求項７】
上記移動通信システムは、ネットワークマネージメントシステム(NMS1)を備え、そして上記検出手段(2)は、上記ネットワークマネージメントシステム(NMS1)に所定のメッセージを送信することにより不正移動ステーション(MS')の存在を指示するように構成された請求項４ないし６のいずれかに記載の移動通信システム。
【請求項８】
上記移動通信システムは、ＧＳＭシステムである請求項４ないし７のいずれかに記載の移動通信システム。
【請求項９】
移動通信システムの装置であって、
加入者レジスタにおける位置情報の変化を引き起こすプロセスを監視するための監視手段と、
移動発信コール、移動発信ショートメッセージ、移動発信非構造化補足サービスデータ、移動発信補足サービス又は周期的位置更新によって位置情報の変化が引き起こされた場合に不正移動ステーションの存在を検出して指示するための検出手段と、
を備えた移動通信システムの装置。
【請求項１０】
上記装置は、移動ステーションの位置を示す位置情報を含む加入者データが記憶される加入者レジスタである請求項９に記載の移動通信システムの装置。
【発明の詳細な説明】
【０００１】
【技術分野】
本発明は、移動通信システムにおける不正移動ステーションの検出に係る。不正移動ステーションという語は、ここでは、別の移動ステーションの認識を採用した移動ステーションを指す。従って、例えば、不正移動ステーションによって利用されたサービスの料金は、元の移動ステーション、即ちその認識が不正移動ステーションにより採用された移動ステーションの電話勘定に課せられることになる。
【０００２】
【背景技術】
ＧＳＭシステム（移動通信用のグローバルシステム）は、本発明を使用できる移動通信システムの一例である。ＧＳＭ移動ステーションの認識は、移動ステーションに挿入されるＳＩＭカード（加入者認識モジュール）に記憶された情報に依存する。ＳＩＭカードは、それらをコピーすることが不可能であるように製造される。しかしながら、誰かが既存のＳＩＭカードの複製の作成に成功すると、その複製を別の移動ステーションに使用することができる。複製ＳＩＭカードを含む不正移動ステーションは、次いで、元の移動ステーション、即ち元のＳＩＭカードを含む移動ステーションと同じ移動認識で移動通信システムに登録することができる。例えば、既知のＧＳＭシステムは、不正移動ステーションの存在を検出するための効率的な手段をもたない。むしろ、既知のＧＳＭネットワークは、通常の位置更新手順により不正移動ステーションを登録する。
【０００３】
【発明の開示】
本発明の目的は、上記の欠点を解消し、そしてオペレータが不正移動ステーションの存在をできるだけ早く検出できるようにする方法を提供することである。この目的は、移動交換センターと、移動ステーションの位置を指示する位置情報を含む加入者レジスタとを備えた移動通信システムにおいて不正移動ステーションを検出するための方法によって達成される。本発明の方法は、上記加入者レジスタにおける位置情報の変化を引き起こすプロセスを監視し、そして上記加入者レジスタにおける位置情報の変化を引き起こすべきでないプロセスによって位置情報の変化が引き起こされた場合に、不正移動ステーションの存在を指示するという段階を含む。
【０００４】
本発明の別の目的は、欠陥移動ステーションの存在を検出できる移動通信システムを提供することである。この目的は、移動ステーションと、移動交換センターと、移動ステーションの位置を指示する位置情報を含む加入者データを含んだ加入者レジスタとを備えた移動通信システムによって達成される。本発明の移動通信システムは、上記加入者レジスタにおける位置情報の変化を引き起こすプロセスを監視するための監視手段と、上記加入者レジスタにおける位置情報の変化を引き起こすべきでないプロセスによって位置情報の変化が引き起こされた場合に不正移動ステーションの存在を検出して指示するための検出手段とを備えている。
【０００５】
本発明は、加入者レジスタにおける位置情報の変化を引き起こすプロセスを監視することにより不正移動ステーションの存在を検出できるという考え方をベースとする。不正移動ステーション（複製されたＳＩＭカードをもつ）が元の移動ステーション（元のＳＩＭカードをもつ）と同時に移動通信システムに使用される状態は、通常生じ得ない位置更新を招く。位置情報の変化を引き起こしてはならないプロセスのリストを定義することができる。このリストは、例えば、位置情報の変化を引き起こすプロセスを監視するコンピュータプログラムと一緒に、加入者レジスタのメモリに記憶することができる。従って、加入者レジスタは、不正移動ステーションの存在を指示する位置情報の異常な変化を検出することができる。本発明は、複製されたＩＭＳＩ（国際移動ステーション認識）を識別することができる。従って、オペレータは、ＨＬＲレジスタからこのＩＭＳＩを除去し、そして新たなＩＭＳＩをもつ新たなＳＩＭカードを、ＳＩＭカードが複製された加入者に付与することができる。
【０００６】
本発明の最も重要な効果は、不正移動ステーションの存在を、ほとんど即座に識別でき、又はいかなる場合にも不正移動ステーションがネットワークによって提供されるサービスを使用できる前に識別できることであり、そして本発明は、加入者レジスタにより使用されるコンピュータプログラムに変更を行うことにより既存の移動通信システムに容易に適用することができる。
【０００７】
好ましい実施形態において、本発明は、移動交換センターに関連した加入者レジスタであって、その移動交換センターのカバレージエリア内に位置する加入者に関するデータを含む加入者レジスタに適用される。ＧＳＭシステムでは、このようなレジスタは、ビジター位置レジスタＶＬＲと称される。ＧＳＭシステムでは、新たな位置エリアに到達する各移動ステーションは、当該移動ステーションに対する加入者データがＶＬＲに記憶されるプロセスを引き起こす位置更新を直ちに遂行しなければならない。これは、位置情報の変化が、移動発信コール(MOC)、移動発信ショートメッセージ(MOSMS)、移動発信非構造化補足サービスデータ(MOUSSD)、移動発信補足サービス(MOSS)又は周期的位置更新(PLU)により引き起こされた場合に、不正移動ステーションの存在を検出することができる。これらＭＯＣ、ＭＯＳＭＳ、ＭＯＵＳＳＤ、ＭＯＳＳ又はＰＬＵに関連して位置情報が変更される状態は、あってはならない。というのは、位置情報は、既にそれ以前に、即ち当該移動ステーションがその位置を変更した（そしてその新たな位置により位置更新を遂行した）ときに、又は移動ステーションがターンオンされたときに（ＩＭＳＩアタッチのときに）変更されていなければならないからである。
本発明の方法及び移動通信システムの好ましい実施形態は、従属請求項２ないし４及び６ないし１０に記載する。
【０００８】
【発明を実施するための最良の形態】
以下、添付図面を参照して、本発明の好ましい実施形態を詳細に説明する。
図１は、本発明による方法の第１の好ましい実施形態を示すフローチャートである。以下、例えば、図１に関連して説明する解決策はＧＳＭシステムに使用され、より詳細には、ＧＳＭシステムのＶＬＲレジスタに使用されると仮定する。
図１のブロックＡでは、ＶＬＲレジスタに記憶された位置情報の変化を引き起こすプロセスが監視される。これは、例えば、この目的のためのコンピュータプログラムをＶＬＲレジスタに追加することにより達成できる。移動ステーションＭＳに対するＬＡＣ（位置エリアコード）の変化が検出された場合には、ブロックＢに入る。この点について、ＬＡＣの変化とは、ＶＬＲに加入者データが既に記憶された加入者のＬＡＣが変化することを意味するか、又は加入者の加入者データ（ＬＡＣを含む）が初めてＶＬＲに記憶されることを意味する。
【０００９】
ブロックＢでは、ＬＡＣの変化に対する理由が分析される。ＬＡＣの変化に対する理由がＭＯＣ（移動発信コール）、ＭＯＳＭＳ（移動発信ショートメッセージ）、ＭＯＵＳＳＤ（移動発信非構造化補足サービスデータ）、ＭＯＳＳ（移動発信補足サービス）又はＰＬＵ（周期的位置更新）である場合には、ブロックＣに入る。
特定の移動ステーションのＬＡＣが通常変化すべきであるのは、移動ステーションが新たな位置エリアに入って位置更新要求を送信するとき、又は移動ステーションの電源がターンオンされて移動ステーションがＩＭＳＩアタッチメッセージを送信するときだけである。その瞬間から、移動ステーションがターンオフされるまで、又は移動ステーションが移動を続けて新たな位置エリアに入るまで、移動ステーションのＬＡＣは、ＶＬＲレジスタにおいて不変に保たれねばならない。
【００１０】
移動ステーションの位置をカバーするＶＬＲにおいて、ＭＯＣ、ＭＯＳＭＳ、ＭＯＵＳＳＤ、ＭＯＳＳ又はＰＬＵがＬＡＣの変化を招く場合には、移動ステーションが当該ＶＬＲに全く登録されていなかったか、或いは移動ステーションの実際の位置がＶＬＲに記憶されたものと異なることを意味する。このような状態は、ＶＬＲに機能不良があった場合（及びＶＬＲが全てのデータを失った場合；この場合には、オペレータ及びＶＬＲレジスタが問題に気付く）、又は同じ認識をもつ２つの移動ステーションが存在する場合にしか生じない。
【００１１】
ブロックＣでは、所定のメッセージが発生され、そしてＮＭＳ（ネットワークマネージメントシステム）へ送信される。従って、オペレータは、ネットワークに不正移動ステーションが存在することが通知される。このメッセージは、当該移動ステーションを識別するのに必要な情報を含むのが好ましい。例えば、ＧＳＭシステムでは、少なくともＩＭＳＩ（国際移動加入者認識）がメッセージに含まれるのが好ましい。これは、オペレータが、メッセージに含まれたものと同じＩＭＳＩを使用して移動ステーションを使用するのを阻止できるようにする。
ＮＭＳは、システムにおける機能不良に気付かねばならない。従って、オペレータは、上記移動ステーションを阻止する前に、不正移動ステーションの存在を検出したＶＬＲにデータの損失が最近生じていないことを保証できる。
【００１２】
図２及び３は、本発明による移動通信システムの第１の好ましい実施形態を示すブロック図である。図２及び３の移動通信システムは、例えば、ＧＳＭシステムであると仮定する。図２は、元の移動ステーションＭＳと同じ移動交換センターのカバレージエリア内に不正移動ステーションＭＳ’が位置する状態を示し、そして図３は、不正移動ステーションＭＳ’と元の移動ステーションＭＳが２つの異なる移動交換センターのカバレージエリアに位置している状態を示す。
【００１３】
図２は、第１オペレータのＧＳＭネットワークの部分を示す。ネットワークの地理的エリアは、位置エリアに分割される。図２には、３つの異なる位置エリアが示されている。各位置エリアには、位置エリアコードＬＡＣ１ないしＬＡＣ３が与えられ、そして各位置エリアは、１つ又は多数のベースステーション（図示せず）によりカバーされる。ベースステーションは、それらが属する位置エリアの位置エリアコードを規則的にブロードキャストする。従って、例えば、移動ステーションＭＳは、その最も近くに位置するベースステーションの位置エリアコードを識別することができる。
【００１４】
図２は、位置エリアＬＡＣ１ないしＬＡＣ３をカバーする１つの移動交換センターＭＳＣ１を示す。従って、これらの位置エリア内に位置する全ての移動ステーションは、移動交換センターＭＳＣ１を経て通信する。ビジター位置レジスタＶＬＲ１は、ＭＳＣ１に関連して配置される。ＶＬＲ１は、ＭＳＣ１のカバレージエリア内、換言すれば、位置エリアＬＡＣ１ないしＬＡＣ３内に現在位置する全ての加入者の加入者データを記憶する手段を備えている。
以下、移動ステーションＭＳの認識が不正移動ステーションＭＳ’により複写されたと仮定する。両移動ステーションＭＳ及びＭＳ’は、移動交換センターＭＳＣ１のカバレージエリアに到達したときに通常の位置更新を実行する。従って、移動ステーションＭＳの加入者データは、加入者のホーム位置レジスタＨＬＲ１から検索されて、ＶＬＲ１に記憶される。又、ＶＬＲ１に記憶されたＭＳの加入者データも、位置エリアコードを含む。
【００１５】
元の移動ステーションＭＳがＭＳＣ１のカバレージエリアに最初に入りそして不正移動ステーションＭＳ’が後で到着した場合には、不正移動ステーションの位置更新が後で行われ、そしてＶＬＲ１のデータベースは、移動ステーションＭＳに対する位置エリアＬＡＣ３を含む。この時点で、元の移動ステーションのユーザがコールを発生し、換言すれば、ＭＯＣを発生するように試みた場合には、ＶＬＲ１が、このコールの試みに関する情報を受け取る。ＶＬＲ１により受け取られる情報は、コールが発信された位置エリアに関する情報も含む。従って、ＶＬＲ１は、コールの試みがＬＡＣ１から発信したことを発見し、一方、ＶＬＲ１のデータベースは、ＭＳの位置エリアがＬＡＣ３（不正移動ステーションの位置）でなければならないことを指示する。ＶＬＲ１は、データベースの情報が間違っていることを発見すると、データの変更を行い、そしてＬＡＣ１をＭＳの位置エリアとして（そのデータベースへ）記憶する。
【００１６】
本発明によれば、ＶＬＲ１は、１つ又は多数のコンピュータプログラムより成る監視手段１を備えている。この監視手段１は、ＶＬＲ１におけるＬＡＣの変化を発見すると、ＬＡＣの変化の理由を見出すプロセスをアクチベートする。このプロセスの結果として、これも１つ又は多数のコンピュータプログラムより成る検出手段２は、ＬＡＣの変化の理由がＭＯＣであることを検出する。この検出手段は、ＭＯＣがＬＡＣの変化を引き起こしてはならないことを知るようにプログラムされており、従って、所定のメッセージ（移動ステーションＭＳのＩＭＳＩを含む）をネットワークマネージメントシステムＮＭＳ１に送信する。従って、システムのオペレータは、不正移動ステーションの存在が検出されたことを通知される。
【００１７】
監視及び検出手段は、図２及び３に示すように、ＶＬＲレジスタではなく、システム内のどこかに配置することができる。別のやり方として、監視及び検出手段は、例えば、ＨＬＲレジスタに配置される。このような場合には、位置情報を変化させるプロセスを監視するのに必要なＨＬＲ情報がＨＬＲへ送信されるように確保することが必要となる。
【００１８】
又、例えば、ＧＳＭシステムに使用される周期的位置更新ＰＬＵは、本発明により、不正移動ステーションを検出するのに使用することができる。ＧＳＭシステムでは、移動ステーションは、規則的な間隔で位置更新要求を送信するようにプログラムされる。周期的な位置更新間の間隔は、６分から２４時間より若干長い範囲である。この間隔は、システムのオペレータにより選択され、そして移動ステーションは、ベースステーションによりブロードキャストされる値で、その選択された間隔が通知される。ＧＳＭシステムにおいて位置更新に使用される「位置更新要求」メッセージは、形式情報エレメントを含む。この形式情報エレメントは、位置更新の理由がＰＬＵである場合には、周期的更新を指示する。従って、形式情報エレメントを分析することによりＰＬＵを識別することができる。
【００１９】
ＰＬＵは、通常は、ＶＬＲにおいてＬＡＣの変化を引き起こしてはならない。移動ステーションが移動する場合に、新たな位置エリアに到達すると、位置更新要求を送信しなければならない。従って、ＰＬＵにより引き起こされるＬＡＣの変化は、本発明により、不正移動ステーションの存在を検出するのに使用することができる。
図３は、不正移動ステーションＭＳ’及び元の移動ステーションＭＳが、２つの異なる移動交換センターＭＳＣ１及びＭＳＣ２のカバレージエリアに位置する状態を示している。
【００２０】
以下、元の移動ステーションＭＳが、図３に示すように、位置エリアＬＡＣ１への位置更新を既に遂行していると仮定する。従って、ＶＬＲ１は、位置エリアコードＬＡＣ１を含むＭＳの加入者データを含んでおり、そして移動ステーションＭＳのホーム位置レジスタＨＬＲ１は、移動ステーションがＶＬＲ１のカバレージエリアに位置しているという情報を含む。この時点で不正移動ステーションＭＳ’の電源がターンオンされる。それ故、不正移動ステーションは、ＩＭＳＩアタッチメッセージを送信し、これは、ＭＳの加入者データがＨＬＲ１から検索されてＶＬＲ２に記憶されるような位置更新を招く。位置更新コードＬＡＣ５もＶＬＲ２に記憶される。ＨＬＲ１のデータは、移動ステーションＭＳがＶＬＲ２のカバレージエリアに位置している（これは実際には正しくない）ことを指示するように更新される。このような状態では、ＨＬＲ１は、移動ステーションがＶＬＲ１のカバレージエリア内にもはやいないことを指示するためのメッセージをＶＬＲ１に送信する。このメッセージは、ＶＬＲ１をトリガーしてＭＳの加入者データをそのデータベースから削除する。
【００２１】
移動ステーションＭＳが、上記の状態において、ＭＯＣ、ＭＯＳＭＳ、ＭＯＵＳＳＤ、ＭＯＳＳ又はＰＬＵを開始する場合には、ＶＬＲ１が、移動ステーションＭＳのデータがそのデータベースに含まれないことを検出し、従って、データは、ＨＬＲ１から検索される。ＶＬＲ１の監視手段１は、ＶＬＲ１におけるＬＡＣの変化を検出する（新たな移動ステーションの位置エリアコードがＶＬＲ１のデータベースに記憶されるので）。検出手段２は、ＬＡＣの変化の理由を分析し、そしてその理由がＭＯＣ、ＭＯＳＭＳ、ＭＯＵＳＳＤ、ＭＯＳＳ又はＰＬＵであり、換言すれば、ＬＡＣの変化を引き起こすべきでないプロセスであることを発見する。それ故、不正移動ステーションの検出を指示する所定のメッセージがネットワークマネージメントシステムＮＭＳ１に送信される。従って、オペレータは、不正移動ステーションが検出されたという情報を受け取る。次いで、オペレータは、移動ステーションＭＳの認識（ＩＭＳＩ）をもついかなる移動ステーションの使用も阻止するといった必要なアクションを遂行することができる。
【００２２】
以上の説明及び添付図面は、本発明を単に例示するものに過ぎないことを理解されたい。それ故、一例として使用されたＧＳＭシステム以外の移動通信システムでも本発明を使用することができる。特許請求の範囲に規定された本発明の精神及び範囲から逸脱せずに種々の変更や修正がなされ得ることが当業者に明らかであろう。
【図面の簡単な説明】
【図１】  本発明による方法の第１の好ましい実施形態を示すフローチャートである。
【図２】  本発明による移動通信システムの第１の好ましい実施形態を示すブロック図である。
【図３】  本発明による移動通信システムの第１の好ましい実施形態を示すブロック図である。
【図１】
0003845308.tif 000002
【図２】
0003845308.tif 000003
【図３】
0003845308.tif 000004